(57)【要約】【課題】ロゴマーク等の特定の図形を、対象となるデータの形式や特定の図形の構成の如何を問わず、また、特定の図形以外の部分に影響を及ぼすことなく、予め定められた色で正確に出力する。【解決手段】  ロゴマークのイメージ画像及びロゴマークに固有の属性情報を、基準の画像及び基準の属性情報として保存する特定図形保存手段１０４と、対象のデータの中に基準の画像と一致する画像が含まれるか否か、もしくは、対象のデータの中に基準の属性情報を有する画像が含まれるか否か、のいずれか、又は、その双方を判別し、当該判別を経て特定される画像をロゴマークに相当する画像として検出する画像判別手段１０５と、ロゴマークに相当する画像に対し固有の色変換処理を施す色変換処理手段１０７と、を備えた構成とする。【選択図】図２
2014093574.tif 000002
【特許請求の範囲】
【請求項１】
特定の図形のイメージ画像及び前記特定の図形に固有の属性情報を、基準の画像及び基準の属性情報として保存する特定図形保存手段と、
対象のデータの中に前記基準の画像と一致する画像が含まれるか否か、もしくは、対象のデータの中に前記基準の属性情報を有する画像が含まれるか否か、のいずれか、又は、その双方を判別し、当該判別を経て特定される画像を前記特定の図形に相当する画像として検出する画像判別手段と、
前記特定の図形に相当する画像に対し固有の色変換処理を施す色変換処理手段と、を備える
ことを特徴とする画像形成装置。
【請求項２】
前記画像判別手段は、
対象のデータがイメージ画像である場合には、前記対象のデータの中に前記基準の画像と一致する画像が含まれるか否か、の判別を、前記対象のデータと前記基準の画像とのパターンマッチングにもとづいて行う
ことを特徴とする請求項１記載の画像形成装置。
【請求項３】
前記画像判別手段は、
対象のデータが印刷データである場合には、前記対象のデータの中に前記基準の画像と一致する画像が含まれるか否か、の判別を、前記印刷データに含まれるオブジェクトのイメージ画像と前記基準の画像とのパターンマッチングにもとづいて行う
ことを特徴とする請求項１又は２記載の画像形成装置。
【請求項４】
前記基準の属性情報には、前記特定の図形に定められた色を再現するために必要な色変換方法及び色値を含み、
前記色変換処理手段は、
前記特定の図形に相当する画像に対して前記色変換方法にもとづく色変換を行い、又は、前記色値に置換する
ことを特徴とする請求項１〜３のいずれか一項記載の画像形成装置。
【請求項５】
コンピュータを、
特定の図形のイメージ画像及び前記特定の図形に固有の属性情報を、基準の画像及び基準の属性情報として保存する特定図形保存手段、
対象のデータの中に前記基準の画像と一致する画像が含まれるか否か、もしくは、対象のデータの中に前記基準の属性情報を有する画像が含まれるか否か、のいずれか、又は、その双方を判別し、当該判別を経て特定される画像を前記特定の図形に相当する画像として検出する画像判別手段、及び
前記特定の図形に相当する画像に対し固有の色変換処理を施す色変換処理手段、として機能させる
ことを特徴とする画像形成プログラム。
【発明の詳細な説明】
【技術分野】
【０００１】
本発明は、色変換等を介して画像出力を行う画像形成装置、及び、画像形成プログラムに関し、より詳しくは、ロゴマーク等の特定の図形を予め定められた色で再現することが可能な画像形成装置、及び、画像形成プログラムに関する。
【背景技術】
【０００２】
プリンター、モニター等のカラー出力デバイスにおいては、デバイスごとに再現可能な色領域が異なるため、対象となる元の色が同じであっても異なった色で再現されることがある。
このため、一方の色領域の色空間を圧縮するようにして色値の補正を行う色空間圧縮（ガマットマッピング）が知られている。
例えば、図９（ａ）に示すように、一方の色空間につき、明度（Lightness）を保持するように各色値を相対的に移動させたり、図９（ｂ）に示すように、一方の色空間のはみ出た色値のみを移動させたり、その際、彩度(Chroma)を保持しながら移動させるといった補正の手法が知られている。
【０００３】
ところで、このような色空間圧縮の手法によっても、オブジェクトごとの色再現性は考慮されていないため、企業のロゴマークやデザインマーク等、予め色が厳密に定められている特定の図形を出力する場合には、正確にその色を再現することができない。
このため、特許文献１には、印刷データから解釈されるオブジェクトの属性（ラスター（イメージ）／ベクター／テキストなど）に応じ、予めオブジェクトごとに定めた色補数関数を用いて色補正を行うカラー印刷装置が提案されている。
また、特許文献２には、特定の色（画素値）については、特別な色に置換する一方、特定の色以外の色については、通常の色変換を行う画像処理装置が提案されている。
【先行技術文献】
【特許文献】
【０００４】
【特許文献１】特開平９−１９３４７７号公報
【特許文献２】特開２０１２−１２４７６４号公報
【発明の概要】
【発明が解決しようとする課題】
【０００５】
しかしながら、特許文献２に開示された色処理技術によれば、画素ごとに一律に同じ色に変換されるため、仮に、ロゴマークの色を特定の色とした場合に、その特定の色からなる他の画素も同色に置換される問題が生ずる。
また、特許文献１に開示された色処理技術によれば、オブジェクトごとに一律に同じ色補正が行われるため、仮に、ロゴマーク（図形）を含む画像にそのロゴマークに合わせた色補正を行うと、ロゴマーク以外の他の図形についても同様の色補正が行われるため、同様の問題が生ずる。
さらに、オブジェクトごとに処理を行っており、また、印刷データのみを対象としているため、複数のオブジェクトが一体となってロゴマークのイメージ画像を形成している場合（スキャナーで読み取った場合など）、対象の画像の中からロゴマークを的確に検出することができない問題もある。
【０００６】
本発明は、上記の事情に鑑みてなされたものであり、特定の図形を識別するための基準となるイメージ画像等を登録しておき、画像処理の際、その基準のイメージ画像に一致する画像を検出し、検出した画像については、固有の色変換処理を個別に行う画像形成装置及び画像形成プログラムの提供を目的とする。
【課題を解決するための手段】
【０００７】
上記目的を達成するため本発明の画像形成装置は、特定の図形のイメージ画像及び特定の図形に固有の属性情報を、基準の画像及び基準の属性情報として保存する特定図形保存手段と、対象のデータの中に基準の画像と一致する画像が含まれるか否か、もしくは、対象のデータの中に基準の属性情報を有する画像が含まれるか否か、のいずれか、又は、その双方を判別し、その判別を経て特定される画像を特定の図形に相当する画像として検出する画像判別手段と、特定の図形に相当する画像に対し固有の色変換処理を施す色変換処理手段と、を備えるようにしている。
【０００８】
また、本発明の画像形成プログラムは、コンピュータを、特定の図形のイメージ画像及び特定の図形に固有の属性情報を、基準の画像及び基準の属性情報として保存する特定図形保存手段、対象のデータの中に基準の画像と一致する画像が含まれるか否か、もしくは、対象のデータの中に基準の属性情報を有する画像が含まれるか否か、のいずれか、又は、その双方を判別し、その判別を経て特定される画像を特定の図形に相当する画像として検出する画像判別手段、及び、特定の図形に相当する画像に対し固有の色変換処理を施す色変換処理手段、として機能させるようにしている。
【発明の効果】
【０００９】
本発明によれば、ロゴマーク等の特定の図形を、対象となるデータの形式や特定の図形の構成の如何を問わず、また、特定の図形以外の部分に影響を及ぼすことなく、予め定められた色で正確に出力することが可能となる。
【図面の簡単な説明】
【００１０】
【図１】本発明の実施形態に係る画像形成装置の概略構成図である。
【図２】本発明の実施形態に係る画像形成装置の機能ブロック図である。
【図３】特定の図形（ロゴマーク）の一例を示す図である。
【図４】図３に示すロゴマークのエッジ画像である。
【図５】処理の対象の画像の一例を示す図である。
【図６】図５に示す処理の対象の画像のエッジ画像である。
【図７】ロゴマークの登録手順を示すフローチャートである。
【図８】色変換処理の手順を示すフローチャートである。
【図９】従来の色空間圧縮（ガマットマッピング）を説明するための図である。
【発明を実施するための形態】
【００１１】
図１は、本発明の実施形態に係る画像形成装置の概略構成図である。
本実施形態の画像形成装置１は、ロゴマークなどの特定の図形を識別するための基準の画像を登録しておき、対象のデータの中にその基準の画像が含まれる場合には、該当する画像を特定の図形として検出し、固有の色変換方法等によって色変換処理を施すものであり、例えば、ＭＦＰ（Multifunction  Peripheral）に適用することができる。
画像形成装置１は、図示しないパーソナルコンピュータ等（以下、ＰＣ等という。）から印刷データ（ＰＤＬ）を受信する通信部１１、コピー時又はスキャン時に、対象の原稿を読み取ってイメージ画像を抽出するスキャナー１２、タッチパネルやテンキーからなる操作部１３、液晶パネルからなる表示部１４、種々のプログラムやデータの保存が可能なＨＤＤ等からなる保存部１５、印刷データを解釈して得られた画像やスキャナー１２で読み取った画像について印刷処理を行う出力部１６、及び、ＣＰＵ、ＲＯＭ、ＲＡＭを備え各構成部の制御を行う制御部１０を備える。
【００１２】
本実施形態の画像形成装置１によれば、処理の対象がＰＣ等から受信した印刷データであるか、スキャナー１２で読み取ったイメージ画像であるか、に拘わらず、また、ロゴマークの構成の如何に拘わらず、ロゴマークを的確に検出し、定められた色で正確に再現することができ、このような作用効果を得るべく、制御部１０は、図２に示す機能ブロックごとに必要な動作を行う。
【００１３】
図２は、本発明の実施形態に係る画像形成装置の機能ブロック図である。
図２に示すように、制御部１０は、ＰＤＬ解釈手段１０１、レンダリング手段１０２、背景分離手段１０３、特定図形保存手段１０４、画像判別手段１０５、及び、画像処理手段１０６（色変換処理手段１０７）を備える。
【００１４】
ＰＤＬ解釈手段１０１は、ＰＣ等から受信した印刷データを解釈することによって、描画対象のオブジェクト及びその属性情報（色、形状等）を抽出する。ＰＤＬ解釈手段１０１は、抽出したオブジェクト及びその属性情報をレンダリング手段１０２に出力する。
なお、ＰＤＬ解釈手段１０１は、ロゴマーク（特定の図形）の登録時においては、印刷データに含ませたロゴマークとその属性情報を抽出してレンダリング手段１０２に出力するとともに、属性情報については、特定図形保存手段１０４に出力する動作を行う。
レンダリング手段１０２は、ＰＤＬ解釈手段１０１から受け取ったオブジェクトをその属性情報にもとづいてラスタライズすることでイメージ画像を生成する。
【００１５】
背景分離手段１０３及び特定図形保存手段１０４は、主にロゴマークの登録時に実行される。
背景分離手段１０３は、ロゴマークとその背景とからなる登録用画像から背景を分離してロゴマークのみを取得する。
特定図形保存手段１０４は、ロゴマークの識別に用いる「基準の画像」と「基準の属性情報」を保存する。
「基準の画像」とは、ロゴマークのイメージ画像であり、ロゴマークを外形面から識別するのに用いる。
「基準の属性情報」とは、ロゴマークに固有の属性情報であり、例えば、ロゴマークの色、形状等から構成される。ロゴマークが複数のオブジェクトによって形成される場合には、個々のオブジェクトごとに生成される。
また、「基準の属性情報」には、ロゴマークに固有の色を再現するために必要な色変換方法又は色値も含む（後記色変換処理手段１０７等参照）。
【００１６】
なお、「基準の属性情報」及び「基準の画像」の登録は、ＰＣ等を介して行うことが可能である。
例えば、ＰＣ等のアプリケーションによって背景付きのロゴマークの画像を生成し、一定の操作によって印刷データとして画像形成装置１に送信するようにする。また、そのロゴマークに固有の属性情報を、その印刷データのメタ情報として送信する。
画像形成装置１は、ＰＣ等からその印刷データを受信すると、ＰＤＬ解釈手段１０１が、印刷データを解釈してメタ情報を取り出し特定図形保存手段１０４に出力するとともに、ロゴマーク及び背景のオブジェクトとメタ情報（色値等の属性情報）をレンダリング手段１０２に出力する。
【００１７】
レンダリング手段１０２は、ＰＤＬ解釈手段１０１から受け取ったオブジェクトとその属性情報にもとづきロゴマークと背景とからなるイメージを描画する。これによって、図３（ｂ）に示すようなロゴマーク（背景付き）のイメージ画像が生成される。
次いで、このイメージ画像に対し、背景分離手段１０３が、背景色（白地の場合は白色）を指定して背景の領域を特定し、背景とロゴマークとを分離する。背景分離手段１０３は、分離したロゴマークのイメージ画像のみを特定図形保存手段１０４に出力する。
特定図形保存手段１０４は、背景分離手段１０３から受け取ったロゴマークのイメージ画像と、ＰＤＬ解釈手段１０１から受け取ったメタ情報を、それぞれ「基準の画像」及び「基準の属性情報」として保存する。
この結果、図３（ｂ）に示す画像から背景を取り除いたロゴマークが「基準の画像」として登録され、また、図３（ａ）に示すように、ロゴマークを構成するオブジェクトＡとオブジェクトＢに対応した「基準の属性情報」がそれぞれ登録される。
【００１８】
画像判別手段１０５は、対象のデータの中に、基準の画像と一致する画像が含まれるか否か、もしくは、基準の属性情報を有する画像が含まれるか否か、のいずれか、又は、その双方を判別し、この判別を経て特定される画像をロゴマークとして検出する。
画像判別手段１０５は、対象のデータがイメージ画像である場合には、その対象のデータと基準の画像とのパターンマッチングを行い、このパターンマッチングを経て特定される画像をロゴマークとして検出する。
このようにすると、スキャナー１２で読み取ったイメージ画像を処理対象とする場合であっても、イメージ化されたロゴマークを的確に検出することができ、属性情報だけではロゴマークを正しく検出することができなかった従来の問題を解消することができる。
【００１９】
画像判別手段１０５は、対象のデータが印刷データである場合には、その印刷データに含まれるオブジェクトのイメージ画像と基準の画像とのパターンマッチングを行うか、印刷データの中に基準の属性情報を有する画像が含まれるか否か、のいずれか、又は、双方の判別によって特定される画像をロゴマークとして検出する。
前段は、対象の印刷データにつき、ＰＤＬ解釈手段１０１により解釈され、レンダリング手段１０２により描画されたイメージ画像と、予め保存された基準の画像とのパターンマッチングを行ってロゴマークを検出するものである。
後段は、印刷データの中に、基準の属性情報である色、形状等が一致するオブジェクトが特定された場合には、これをロゴマークとして検出するものである。
対象が印刷データである場合、前段又は後段のいずれかによってロゴマークを判別することができるが、前段の判別と後段の判別を重畳的に実施することもできる。
このようにすると、オブジェクトとしてのロゴマークのみならず、フレーム中にイメージとして貼り付けられたロゴマークであっても、的確に検出することができる。
【００２０】
なお、パターンマッチングは、エッジ情報等の特徴情報にもとづいて、一定の基準パターンと一致するものを対象データから検索する方法を例示することができる。
例えば、図４に示すように、「基準の画像」として登録してあるロゴマークからエッジを取り出して基準パターンとしてのエッジ画像を生成しておく。
ここで、図５に示すイメージ画像を処理対象として入力した場合には、この画像からエッジを取り出してエッジ画像を生成する（図６参照）。
そして、図６に示すエッジ画像の全体に対し、図４に示すエッジ画像と一致する画像領域があるか否かをサーチし、マッチングした領域をロゴマークとして検出することができる。
【００２１】
画像処理手段１０６は、レンダリング後のイメージ画像に対し、色変換処理、スクリーン処理などの画像処理を行う。画像処理が施された画像データは、その後、出力部１６に出力され、印刷処理が行われる。
色変換処理手段１０７は、画像処理手段１０６において色変換処理を担う。一般的な動作としては、レンダリング後のイメージ画像に対し、予め入力色値（ＲＧＢ）と出力色値（ＣＭＹＫ）とを紐付けた色変換テーブルを参照して、その色値を出力可能な色値に変換する。
なお、色領域の差異を補正する色空間圧縮（ガマットマッピング）を反映させる場合には、色変換テーブルにおける出力色値を、相応の値に補正することもできる。
【００２２】
本実施形態の色変換処理手段１０７は、画像判別手段１０５によって検出されたロゴマークについて「固有の色変換処理」を施す。
具体的には、基準の属性情報に含まれる「色変換方法」にしたがって色変換を行うものであり、例えば、ロゴマーク用に編集された色変換テーブルを設け、ロゴマークについてはその色変換テーブルを用いて色変換を行うようにすることができる。
また、基準の属性情報に含まれる「色値」に置換することも可能である。すなわち、色変換テーブルは参照せず、予めロゴマークに対して定められている出力色値（ＣＭＹＫ）に直接置き換えるものである。
このようにすると、スキャナー１２の精度に起因する測定色値の変動や色空間圧縮に伴う色値の変位の影響を受けることなく、ロゴマークとして求められている色を安定的にかつ正確に再現することができる。
なお、色変換処理手段１０７は、ロゴマーク以外の部分については通常の色変換処理を行うようにしている。このため、ロゴマークの色再現性を確保することに伴って、ロゴマーク以外の部分が不適当な色処理が施されるといった従来の問題も生じない。
【００２３】
このように、本実施形態の画像形成装置１によれば、特定図形保存手段１０４が、予め特定の図形を識別するための基準の画像及び基準の属性情報を保存しておき、画像判別手段１０５が、対象のデータの中に基準の画像と一致する画像が含まれるか否か、もしくは、対象のデータの中に基準の属性情報を有する画像が含まれるか否か、のいずれか、又は、その双方を判別し、この判別を経て特定される画像を特定の図形に相当する画像として検出するようにしている。
このため、スキャナー１２で読み込んだ場合など、特定の図形がイメージデータで構成される場合であっても、また、複数のオブジェクトで形成される場合であっても、的確に検出することができる。
【００２４】
また、本実施形態の画像形成装置１によれば、色変換処理手段１０７が、検出した特定の図形の画像に固有の色変換方法を用いて色変換処理を行い、又は、固有の色値に置換する一方、特定の図形以外の部分については通常の色変換処理を行うようにしている。
このため、様々な事情により色変換対象の入力値が変動するような場合でも、特定の図形として求められる色を正確に再現して出力することができ、また、特定の図形以外の画像に対しては通常の色変換処理を問題なく行うことができる。
【００２５】
（ロゴマークの登録手順）
次に、ロゴマークの登録手順について説明する。
図７は、ロゴマークの登録手順を示すフローチャート図である。
図７に示すように、まず、ロゴマークの入力を行う（Ｓ１）。
例えば、ＰＣ等によって背景付きのロゴマークの画像を生成し、一定の操作によって印刷データとして画像形成装置１に送信する。また、ロゴマークの色、形状等や、ロゴマークの色を再現するために必要な色変換方法や色値を、メタ情報として印刷データとともに送信する。
【００２６】
次に、印刷データを解釈する（Ｓ２）。
具体的には、ＰＤＬ解釈手段１０１が、ＰＣ等から受信した印刷データからメタ情報を取り出して特定図形保存手段１０４に出力し、また、ロゴマーク及び背景のオブジェクトとメタ情報をレンダリング手段１０２に出力する。
【００２７】
次いで、レンダリングを行う（Ｓ３）。
具体的には、レンダリング手段１０２が、ＰＤＬ解釈手段１０１から受け取ったオブジェクトとメタ情報にもとづきロゴマークと背景とからなるイメージ画像を生成する。そして、背景分離手段１０３が、背景とロゴマークとを分離し、ロゴマークのイメージ画像のみを特定図形保存手段１０４に出力する。
【００２８】
そして、ロゴマークの登録を行う（Ｓ４）。
具体的には、特定図形保存手段１０４が、背景分離手段１０３から受け取ったロゴマークのイメージ画像及びＰＤＬ解釈手段１０１から受け取ったメタ情報を、「基準の画像」及び「基準の属性情報」として保存する。
【００２９】
（色変換処理の手順）
次に、色変換処理の手順について説明する。
図８は、色変換処理の手順を説明するためのフローチャートである。
図８に示すように、まず、対象データの入力を行う（Ｓ１１）。具体的には、ＰＣ等から印刷対象の印刷データを受信し、又は、コピー時等、スキャナー１２が読み取った印刷対象の画像を入力する。
【００３０】
次に、対象データが印刷データかイメージ画像かを判別する（Ｓ１２）。
対象データが、印刷データである場合（Ｓ１２：印刷データ）、ＰＤＬ解釈手段１０１が印刷データを解釈し（Ｓ１３）、レンダリング手段１０２がレンダリングを行う（Ｓ１４）。これによって、印刷データに含まれるオブジェクトのイメージ画像が生成される。
対象データがイメージ画像であった場合（Ｓ１２：イメージ画像）、又は、Ｓ１４の後においては、パターンマッチング等を行ってロゴマークの検出を試みる（Ｓ１５）。
すなわち、印刷データについてはレンダリングによってイメージ画像に変換した後、スキャナー１２等を介して得たイメージ画像についてはそのまま、予め登録した基準の画像（ロゴマークのイメージ画像）とのパターンマッチングを行う。
なお、パターンマッチング以外でも、印刷データの中に、登録した基準の属性情報（ロゴマークに固有の属性情報）と一致する属性情報のオブジェクトを検索し、ヒットしたオブジェクトをロゴマークとして検出する方法もある。
【００３１】
この結果、ロゴマークが検出された部分（Ｓ１５：ロゴマーク部分）については、ロゴマーク用の色変換処理を行う（Ｓ１６）。具体的には、色変換手段１０７が、固有の色変換方法により色変換処理を行い、又は、固有の色値に置換する。
一方、ロゴマークが検出されなかった部分（Ｓ１５：ロゴマーク以外の部分）については、通常の色変換処理を行う（Ｓ１７）。
【００３２】
このように、本発明は、方法によっても実施することができる。
このため、上述した画像形成装置１の構成に拘わらず、同様の作用効果を奏することが可能な方法を提供することができる。
【００３３】
（画像形成プログラム）
次に、画像形成プログラムについて説明する。
上記実施形態におけるコンピュータ（画像形成装置）の特定図形保存機能、画像判別機能、色変換処理機能等は、ＲＯＭ等に記憶された画像形成プログラムにより実現される。
画像形成プログラムは、コンピュータの制御手段（ＣＰＵなど）に読み込まれることにより、コンピュータの構成各部に指令を送り、前記各機能に対応した各手段（特定図形保存手段、画像判別手段、色変換処理手段）を実行させる。
これによって、前記各機能は、ソフトウェアである画像形成プログラムとハードウェア資源であるコンピュータの各構成手段とが協働することにより実現される。
【００３４】
なお、上記各機能を実現するための画像形成プログラムは、コンピュータのＲＯＭ等に記憶される他、コンピュータが読み取り可能な記録媒体、例えば、外部記憶装置及び可搬記録媒体に格納することができる。
外部記憶装置とは、ＣＤ−ＲＯＭ（Compact  disc−Read  Only  Memory）等の記録媒体を内蔵し、画像形成装置１に外部接続されるメモリ増設装置をいう。一方、可搬記録媒体とは、記録媒体駆動装置（ドライブ装置）に装着でき、かつ、持ち運び可能な記録媒体であって、例えば、フレキシブルディスク、メモリカード、光磁気ディスク等をいう。
【００３５】
そして、記録媒体に記録された画像形成プログラムは、コンピュータのＲＡＭ等にロードされて、ＣＰＵにより実行される。この実行により、上述した実施形態の各機能が実現される。
さらに、コンピュータで画像形成プログラムをロードする場合、他のコンピュータで保有された画像形成プログラムを、通信回線を利用して自己の有するＲＡＭや外部記憶装置にダウンロードすることもできる。このダウンロードされたプログラムも、ＣＰＵにより実行されることによって上述した実施形態の各機能を実現することができる。
【００３６】
このように、本発明は、プログラムによっても実施することができる。
このため、上記画像形成プログラムを他のデバイスにインストールすることによって、本実施形態に係る画像形成装置１と同様の作用効果を奏する装置を構成することが可能となる。
【００３７】
以上、本発明の画像形成装置及び画像形成プログラムについて、実施形態を示して説明したが、本発明は、上述した実施形態にのみ限定されるものではなく、種々の変更が可能であることは言うまでもない。
例えば、プリンター、コピー機、モニター等、ＭＦＰ以外の画像形成装置においても本発明を適用することができる。
また、色変換処理に限らず、特定の図形とそれ以外の部分とで、画像処理を分けて実行させることができる。
例えば、特定の図形についてはカラー出力を行い、特定の図形以外の部分についてはモノクロ出力を行ったり、また、特定の図形以外の部分についてはトナーセーブを適用することができる。
【産業上の利用可能性】
【００３８】
本発明は、ＭＦＰ、プリンター、コピー機などのカラー対応の画像形成装置において適用することができる。
【符号の説明】
【００３９】
１  画像形成装置
１０  制御部
１０１  ＰＤＬ解釈手段
１０２  レンダリング手段
１０３  背景分離手段
１０４  特定図形保存手段
１０５  画像判別手段
１０６  画像処理手段
１０７  色変換処理手段
１１  通信部
１２  スキャナー
【図１】
2014093574.tif 000003
【図２】
2014093574.tif 000004
【図３】
2014093574.tif 000005
【図４】
2014093574.tif 000006
【図６】
2014093574.tif 000007
【図７】
2014093574.tif 000008
【図８】
2014093574.tif 000009
【図９】
2014093574.tif 000010
【図５】
2014093574.tif 000011